(57)【要約】      （修正有）【課題】トイレットペーパー巻き出し回転使用時、トイレットペーパーホルダーのカバーや各部材より発生する振動、異音を吸収、解消すると共に、トイレットペーパーの節約に貢献する器具を提供する。【解決手段】ゴム、スポンジ、ウレタン等の柔軟材で作成することにより、トイレットペーパー筒芯部３と、ホルダー支柱部１０並びにホルダー支柱接続部材１１間、トイレットペーパー側面と接するホルダー側板１２間、カバーカッター８とホルダー７各部材間で発生する振動、異音を吸収、解消する。また、トイレットペーパー筒芯部６とトイレットペーパー側面部との接触により若干の抵抗が生じ、トイレットペーパー５の大量使用を防止する。【選択図】図５
0003203388.tif 000002
【実用新案登録請求の範囲】
【請求項１】
トイレットペーパー巻き出し回転使用時、トイレットペーパー筒芯部とそれを支えるトイレットペーパーホルダー支柱部の回転接触時発生する振動並びに異音を本考案のゴム、スポンジ、ウレタン等の柔軟材にて作成された本考案円筒部をトイレットペーパー筒芯部内に装着することにより、振動を吸収し異音を解消する。
【請求項２】
トイレットペーパー筒芯部に挿入されるトイレットペーパーホルダー支柱部と連結するトイレットペーパーホルダー側板間にて、トイレットペーパー巻き出し回転使用時発生する振動並びに異音を、本考案のゴム、スポンジ、ウレタン等の柔軟材質にて作成した側板を装着することにより、振動を吸収し異音を解消する。
【請求項３】
トイレットペーパーホルダーのステンレス、プラスチック等硬質素材で作成された上部カバー部が、トイレットペーパー巻き出し回転使用時、トイレットペーパーとの回転接触により発生するトイレットペーパーホルダー上部カバーとカバー部に接続するトイレットペーパーホルダー部材による振動と異音を、本考案のゴム、スポンジ、ウレタン等の柔軟材質にて作成された突起部と接することにより、吸収、解消する。
【請求項４】
カバーカッター付きトイレットペーパーホルダー使用時、トイレットペーパーを最終まで使用可能とするため、カバーカッターがトイレットペーパー筒芯部に接触することを可能とする形状を本考案に加工し、且つ上記〔請求項３〕の突起部がトイレットペーパー巻き出し回転使用による上記カバーカッター接触位置の回転移動を防止する。
【請求項５】
トイレットペーパー筒芯部並びに側面部が、ゴム、スポンジ、ウレタン等の柔軟材質により作成された本考案との接触により、トイレットペーパー使用巻き出し回転を抑制しトイレットペーパーの大量巻き出しを抑制する。
【考案の詳細な説明】
【技術分野】
【０００１】      本考案は既存の各種トイレットペーパーホルダーに対応するトイレットペーパー筒芯部に装着するものである。
【背景技術】
【０００２】      各家庭、宿泊施設、公共施設等において、トイレに設置されるトイレットペーパー使用時、トイレットペーパー巻き出し回転使用時に発生するトイレットペーパーホルダー各部材や取り付け壁面から不快な振動や異音が発生していた。【０００３】      特に、公共施設、宿泊施設等においてトイレ使用時、トイレットペーパーを必要以上に大量使用される。
【先行技術文献】
【特許文献】
【０００４】
【特許文献１】  特開２００５−３２３８５９
【特許文献２】  実開平５−２１７９５
【考案の概要】
【考案が解決しようとする課題】
【０００５】      本考案は、トイレットペーパーホルダー本体を開発するものではなく、トイレットペーパー筒芯部に本考案を装着することにより、既存の各種トイレットペーパーホルダーに対応し、前述の〔０００２〕〔０００３〕の問題を解決するものである。
【課題を解決するための手段】
【０００６】      トイレットペーパー筒芯部は真円ではなく、また、巻き回されたペーパーも歪が生じ、巻き出し回転使用時トイレットペーパーホルダー各部構成部材間の接続部に振動や異音を発生させる。【０００７】      既存トイレットペーパーホルダーから発生する振動、異音はトイレットペーパー巻き出し回転使用時、トイレットペーパー筒芯部と、トイレットペーパーを支えるトイレットペーパーホルダー支柱部間にて発生する。
本考案は、トイレットペーパー筒芯部内とトイレットペーパーホルダー支柱部間に、ゴム、スポンジ、ウレタン等の柔軟材で作成された円筒部を挿入することにより、トイレットペーパー筒芯部とトイレットペーパーを支えるトイレットペーパホルダー支柱部間にて発生する振動を吸収し、異音を解消する。【０００８】      既存トイレットペーパーホルダーから発生する振動、異音はトイレットペーパー巻き出し回転使用時、トイレットペーパー側面とトイレットペーパーホルダー支柱接続側面部材との接触により発生する。
本考案は、トイレットペーパー側面部とトイレットペーパーホルダー支柱接続側面部材間に、ゴム、スポンジ、ウレタン等の柔軟材で作成された側板を装着することにより振動を吸収し、異音を解消する。【０００９】      既存の上部カバー付きトイレットペーパーホルダーが発する振動、異音は、トイレットペーパー巻き出し回転使用時、トイレットペーパーの巻の歪により上部カバーが上下振動し、上部カバーとトイレットペーパーホルダー側面部に接触し振動を伝道、異音が発生する。
本考案は、ゴム、スポンジ、ウレタン等の柔軟材で作成した突起部が、トイレットペーパー巻き出し回転使用時、上部カバーと接触し振動を吸収し、異音を解消する。尚、突起部にはトイレットペーパーホルダー上部カバーの重さを支えるため、先端部分を除きプラスチック等の硬質材にて補強をする。【００１０】      上部カバーカッター付きトイレットペーパホルダー使用時、トイレットペーパー残存が少量となった場合、上部ペーパーカッターがトイレットペーパー筒芯最終部まで使用を可能にするため、本考案の形状はペーパーカッターが常にトイレットペーパー筒芯部に近いトイレットペーパー最終部に接触するよう上記〔０００９〕本考案突起部が本考案本体の回転を防止する機能も有する。【００１１】      ゴム、スポンジ、ウレタン等の柔軟材で作成された本考案が、トイレットペーパー筒芯部並びにトイレットペーパー側面部との接触により若干の抵抗が生じ、トイレットペーパー巻き出し使用時回転を抑制しトイレットペーパーの大量消費を防止する。
【考案の効果】
【００１２】      上述の通り、本考案はトイレットペーパー巻き出し回転使用時、トイレットペーパーとトイレットペーパーホルダー間にて発生する不快な振動や異音を吸収し解消するものである。また、本考案はトイレットペーパー並びにトイレットペーパーホルダーとの接触による抵抗がトイレットペーパーの回転を抑制し、大量消費を防止しマナーやエチケットの向上に寄与するものである。
【図面の簡単な説明】
【００１３】
【図１】本考案の左右一対である。
【図２】本考案の実施例を示す側面図である。
【図３】本考案の実施例を示す正面図である。
【図４】本考案本体左右一対をトイレットペーパー多量時のカバーカッター付きトイレットペーパーホルダーに装着した図である。
【図５】本考案本体左右一対をトイレットペーパー少量時のカバーカッター付きトイレットペーパーホルダーに装着した図である。
【図６】本考案を多量時のトイレットペーパーに装着し、トイレットペーパーホルダーに設置した側面図である。
【図７】本考案を少量時のトイレットペーパーに装着し、トイレットペーパーホルダーに設置した側面図である。
【考案を実施するための形態】
【００１４】  本考案本体の左右一対円筒部を、トイレットペーパー筒芯部に挿入し、本体突起部反対側より、トイレットペーパーホルダー左右支柱部に装着する。
トイレットペーパー筒芯部に、ゴム、スポンジ、ウレタン等の柔軟材で作成された円筒部が挿入されることにより、トイレットペーパーの巻き出し回転使用によるトイレットペーパーホルダー支柱部とその支柱を支える側面板等より発生する振動を吸収し、異音を解消する。
トイレットペーパー少量時、トイレットペーパーを使用巻き出し回転するとトイレットペーパーと本体突起部が回転し、突起部がトイレットペーパーホルダーカバーカッター内側に接触固定することにより、カッターカバーがトイレットペーパー最終部に常時接触することを可能にする。
【実施例】
【００１５】  以下、添付図面に従って実施例を説明する。図―１  １はゴム、スポンジ、ウレタン等の柔軟材で作成された本考案本体左右一対である。【００１６】本考案側面部の形状は、円筒部から突起部まで左右対称の形状にすることにより、本考案本体左右一対をトイレットペーパーの左右どちら側にも装着することを可能にする。【００１７】  図―１、  ２はトイレットペーパーとトイレットペーパーホルダー１２に接する側面部で、ゴム、スポンジ、ウレタン等の柔軟材により作成されたことにより図−４、図−５、図−６、図―７にあるトイレットペーパーホルダー支柱部１０並びにトイレットペーパーホルダー支柱部接続部材１１の振動、異音を吸収、解消する。【００１８】  図―１、円筒部３は、ゴム、スポンジ、ウレタン等の柔軟材で作成されたことにより、図−４、図−５、図−６、図―７にあるトイレットペーパーホルダー支柱部１０並びにトイレットペーパーホルダー支柱部接続部材１１から発生する振動を吸収し、異音を解消する。【００１９】  図―１、突起部４は図−５、図―７にあるトイレットペーパー残存が少量となり、トイレットペーパー巻き出し回転使用時、突起部４がカバーカッター８内側に接触することにより、カバーカッター８並びにトイレットペーパーホルダー７各接続部から発生する振動を吸収し、異音を解消する。【００２０】  図−４、図−６トイレットペーパー５の残存が多量時、突起部４はトイレットペーパー側面残存巾内にあるが、カバーカッター８内側はトイレットペーパー５に接触することによりトイレットペーパーの柔軟性と〔００１６〕の側面部がカバーカッター８並びにトイレットペーパーホルダー７各接続部から発生する振動を吸収し異音を解消する。【００２１】  図−５、図−７にあるように、本体１はトイレットペーパー５残存が少量となった場合、トイレットペーパー５の最終まで使用を可能にするためカバーカッター８がカバーカッター接触部９に常時接触するよう、突起部４がカバーカッター８内側に固定することにより本体１の回転を防止する機能を合わせ持つものである。【００２２】  本考案は、図−４、図−５、図−６、図―７にあるトイレットペーパーホルダー７の形状以外の構造のものにも適用可能である。
【産業上の利用可能性】
【００２３】  本考案は、既存の家庭用、業務用トイレットペーパーに装着するものである。既存トイレットペーパーは、筒芯部直径が約３８ミリであり各メーカー商品に適応する。
また、各メーカートイレットペーパーホルダーのカバーカッター有無にかかわらず装着が可能である。
日本の各家庭、公共施設、宿泊施設等のトイレ個室壁面は石膏ボード、合板等の材質で施工されている場合が多く、その内部構造によってはトイレットペーパー巻き出し使用時、トイレットペーパーホルダー各部材から発生する振動、異音を増幅し反響する。
本考案を装着することにより、トイレットペーパーホルダー巻き出し回転使用時トイレットペーパーホルダー各部材から発生する振動や異音による使用者の羞恥心を取り除き、且つ、トイレットペーパーの大量消費抑制に貢献するものである。
【符号の説明】
【００２４】  １．  本考案本体
２．  本考案  側面部
３．  本考案  円筒部
４．  本考案  突起部
５．  トイレットペーパー
６．  トイレットペーパー  筒芯部
７．  トイレットペーパーホルダー
８．  トイレットペーパーホルダー  カバーカッター
９．  カバーカッター接触部
１０．トイレットペーパーホルダー  支柱部
１１．トイレットペーパーホルダー  支柱接続部材
１２．トイレットペーパーホルダー  側板
【図１】
0003203388.tif 000003
【図２】
0003203388.tif 000004
【図３】
0003203388.tif 000005
【図４】
0003203388.tif 000006
【図５】
0003203388.tif 000007
【図６】
0003203388.tif 000008
【図７】
0003203388.tif 000009
【手続補正書】
【提出日】平成27年9月7日(2015.9.7)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパー巻出し回転使用時、トイレットペーパー筒芯部とそれを支えるトイレットペーパー支柱部間で回転接触時発生する振動並びに異音を、ゴム、スポンジ、ウレタン等の柔軟材にて作成された当器具の円筒部をトイレットペーパー筒芯部内に装着することにより、振動を吸収し異音を解消することを特徴とする器具である。
【請求項２】
トイレットペーパー筒芯部に挿入されるトイレットペーパーホルダー支柱部とその支柱部に連結するトイレットペーパーホルダー側板間にて、トイレットペーパー巻出し回転使用時発生する振動並びに異音を、ゴム、スポンジ、ウレタン等の柔軟材にて作成した請求項１の当器具円筒部の端部と接続する側面部分が、トイレットペーパー側面とトイレットペーパーホルダー間を緩衝し、振動を吸収し異音を解消することを特徴とする器具である。
【請求項３】
トイレットペーパーホルダーのステンレス、プラスチック等硬質素材で作成された上部カバー部が、トイレットペーパー巻出し回転使用時トイレットペーパーとの回転接触により発生するトイレットペーパーホルダー上部カバーとカバー部に連結するトイレットペーパーホルダー部材による振動と異音を、請求項２のゴム、スポンジ、ウレタン等の柔軟材質にて作成された当器具側面部の円筒部と対極し円筒部接続部から延長した先端突起部が上部カバー裏内面傾斜に応じた角度に接することにより、吸収解消する機能を持つことを特徴とする器具である。
【請求項４】
カバーカッター付きトイレットペーパーホルダー使用時、トイレットペーパーを最終まで使用可能とするためカッター部分がトイレットペーパー筒芯部まで接触可能とするよう当器具円筒部の端部と接続する側面部のカッター部分が接触する範囲を削除し円筒部を露出させ、且つ、カッター部分が常時その露出円筒部位置に接触するよう円筒部に接続する側面部請求項３の突起部がカバーカッター裏面に接触することにより当器具を固定しトイレットペーパー巻出し回転使用による接触位置の回転移動を防止する機能を持ち、更に、当器具側面部全体の強度を保持するため側面部内側を薄いプラスチック等の素材にて補強した器具である。
【請求項５】
ゴム、スポンジ、ウレタン等の柔軟材質により作成された当器具の円筒部がトイレットペーパー筒芯部とトイレットペーパーホルダー支柱部間並びに当器具の側面部がトイレットペーパー側面とトイレットペーパーホルダー側面部間に装着され接触することにより、トイレットペーパー巻出し回転使用時、若干の抵抗力が生じ、その抵抗がトイレットペーパーの回転を抑制しトイレットペーパーの大量巻出しを抑制する機能を持つ器具である。
【手続補正２】
【補正対象書類名】図面
【補正対象項目名】全図
【補正方法】変更
【補正の内容】
【図１】
0003203388.tif 000010
【図２】
0003203388.tif 000011
【図３】
0003203388.tif 000012
【図４】
0003203388.tif 000013
【図５】
0003203388.tif 000014
【図６】
0003203388.tif 000015
【図７】
0003203388.tif 000016
【手続補正書】
【提出日】平成27年12月15日(2015.12.15)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパー巻出し回転使用時、トイレットペーパーホルダー支柱部に装着されたトイレットペーパーの、必ずしも真円ではないトイレットペーパー筒芯部が不規則に回転することにより、トイレットペーパーホルダーの支柱部と支柱接続部並びにトイレットペーパーホルダー側板接触部にて発生する振動と異音を、ゴム、スポンジ、ウレタン等の柔軟材にて作成されたトイレットペーパー筒芯内部に装着する円筒部と側面部を備えた当器具の円筒部をトイレットペーパー筒芯部内に装着することにより、当器具円筒部の柔軟材が必ずしも真円ではないトイレットペーパー筒芯部の不規則な回転により発生するトイレットペーパーホルダーの支柱部と支柱接続部並びにトイレットペーパーホルダー側板接触部の振動を吸収し異音を解消することを特徴とする器具。
【請求項２】
トイレットペーパー巻出し回転使用時、トイレットペーパーホルダー支柱部に装着されたトイレットペーパーの、必ずしも真円ではないトイレットペーパー筒芯部が不規則に回転することにより、トイレットペーパーホルダー支柱部とその支柱部に連結するトイレットペーパーホルダー側板間並びにトイレットペーパーホルダー側板内にて発生する振動並びに異音を、ゴム、スポンジ、ウレタン等の柔軟材にて作成されたトイレットペーパー筒芯内部に装着する円筒部と側面部を備えた当器具円筒部の端部と接続する側面部分が、トイレットペーパー側面とトイレットペーパーホルダー側板間を緩衝することにより、トイレットペーパーホルダー支柱部に連結するトイレットペーパーホルダー側板並びにトイレットペーパーホルダー側板内にて発生する振動を吸収し異音を解消することを特徴とする器具。
【請求項３】
トイレットペーパーホルダーのステンレス、プラスチック等硬質素材で作成されたトイレットペーパーホルダー上部カバー部が、トイレットペーパー巻出し回転使用時、必ずしも真円ではないトイレットペーパー筒芯部とトイレットペーパーの巻の歪による不規則な回転のため、トイレットペーパーとトイレットペーパーホルダー上部カバーとの回転接触によりトイレットペーパーホルダー上部カバーとカバー部に連結するトイレットペーパーホルダー連結部材により発生する振動と異音を、ゴム、スポンジ、ウレタン等の柔軟材質にて作成されたトイレットペーパー筒芯内部に装着する円筒部と側面部を備えた当器具側面部の円筒部と対極し円筒部接続部から延長した当器具側面部先端突起部柔軟材質部がトイレットペーパーホルダー上部カバー裏内面傾斜に応じた角度に接することにより、トイレットペーパーホルダー上部カバーとカバー部に連結するトイレットペーパーホルダー部材による振動を吸収し異音を解消する機能を持つことを特徴とする器具。
【請求項４】
カバーカッター付きトイレットペーパーホルダー使用時、トイレットペーパーを最終まで使用可能とするためトイレットペーパーホルダーカバーカッター部分がトイレットペーパー筒芯部まで接触可能とするよう、ゴム、スポンジ、ウレタン等の柔軟材質にて作成されたトイレットペーパー筒芯内部に装着する円筒部と側面部を備えた当器具円筒部の端部と接続する側面部のトイレットペーパーホルダーカバーカッター部分が接触する範囲を削除し当器具円筒部を露出させ、且つ、トイレットペーパーホルダーカバーカッター部分が最終トイレットペーパー筒芯部まで常時接触するよう当器具円筒部接続部から延長した当器具側面部先端突起部柔軟材質部がトイレットペーパーホルダーカバーカッター裏面に接触することにより当器具を固定し、トイレットペーパー巻出し回転使用により当器具のトイレットペーパーホルダーカバーカッター接触位置の回転移動を防止し常時トイレットペーパーホルダーカバーカッターが当器具露出円筒部に向け固定する機能を持つことを特徴とし、さらに、当器具側面部全体の強度を保持するため側面の内側に薄いプラスチック等の素材にて補強することを特徴とした器具。
【請求項５】
ゴム、スポンジ、ウレタン等の柔軟材質にて作成された当器具の円筒部がトイレットペーパー筒芯部とトイレットペーパーホルダー支柱部間並びに当器具側面部がトイレットペーパー側面とトイレットペーパーホルダー側板間に装着され接触することにより、トイレットペーパー巻出し回転使用時トイレットペーパー筒芯部とトイレットペーパー側面に若干の抵抗力が生じ、その抵抗がトイレットペーパーの回転を抑制しトイレットペーパーの大量巻出しを抑制する機能を持つことを特徴とする器具。